(57)【要約】      （修正有）【課題】顧客が着色フィルムメーカに色見本を提供するのではなく、色相に関するデータを通信回線を介して提供し、着色フィルムメーカはこのデータに基づいて着色フィルムを製造し、供給することができる方法を提供する。【解決手段】顧客は所望の色の着色フィルムの色相に関する基本データ又はディスプレイ上で作成した色を通信回線を介して供給者に送信する段階と、供給者は受信した色相の基本データに基づいて着色フィルムの第一サンプルを顧客に供給する段階と、顧客は第一サンプルを測色してその色相に関する第一サンプルデータを通信回線を介して供給者に送信する段階と、供給者は第一サンプルデータと基本データとを比較した結果に基づいて着色フィルムの第二サンプルを顧客に提供する段階と、顧客は第一サンプル又は第２以上サンプルについて製品の発注を指示する段階と、を備えたことを特徴とする着色フィルムの獲得方法。【選択図】  なし【特許請求の範囲】
【請求項１】
着色フィルムの供給者から顧客が着色フィルムを獲得する方法において、
顧客は所望の色の着色フィルムの色相に関する基本データ又はディスプレイ上で作成した色を通信回線を介して供給者に送信する段階（ａ）と、
供給者は受信した色相の基本データに基づいて着色フィルムの第一サンプルを顧客に供給する段階（ｂ）と、
顧客は第一サンプルを測色してその色相に関する第一サンプルデータを通信回線を介して供給者に送信する段階（ｃ）と、
供給者は第一サンプルデータと基本データとを比較した結果に基づいて着色フィルムの第二サンプルを顧客に提供する段階（ｄ）と、
必要ならば、上記段階（ｃ）と上記段階（ｄ）とを第Ｎ（ただし、Ｎは２以上の整数）サンプルデータと第（Ｎ＋１）サンプルについて実行する段階（ｅ）と、
顧客は第一サンプル又は第Ｎサンプルについて製品の発注を指示する段階（ｆ）と、
を備えたことを特徴とする着色フィルムの獲得方法。
【請求項２】
着色フィルムの供給者が顧客に着色フィルムを供給する方法において、
顧客は所望の色の着色フィルムの色相に関する基本データ又はディスプレイ上で作成した色を通信回線を介して供給者に送信する段階（ａ）と、
供給者は受信した色相の基本データに基づいて着色フィルムの第一サンプルを顧客に供給する段階（ｂ）と、
顧客は第一サンプルを測色してその色相に関する第一サンプルデータを通信回線を介して供給者に送信する段階（ｃ）と、
供給者は第一サンプルデータと基本データとを比較した結果に基づいて着色フィルムの第二サンプルを顧客に提供する段階（ｄ）と、
必要ならば、上記段階（ｃ）と上記段階（ｄ）とを第Ｎ（ただし、Ｎは２以上の整数）サンプルデータと第（Ｎ＋１）サンプルについて実行する段階（ｅ）と、
顧客は第一サンプル又は第Ｎサンプルについて製品の発注を指示する段階（ｆ）と、
を備えたことを特徴とする着色フィルムの供給方法。
【発明の詳細な説明】
【０００１】
【発明の属する技術分野】
本発明は、マーキングフィルム等に使用する着色フィルム供給者である着色フィルムのメーカが顧客の所望する色相のマーキングフィルムを供給する供給方法、および顧客の着色フィルムの獲得方法に関する。
【０００２】
【従来の技術】
マーキングフィルムは、塩ビ樹脂，アクリル樹脂，フッソ樹脂，ウレタン樹脂等の着色したフィルムを文字、図形に切り取り、基材に張り付けることで、看板、広告等に使用されている。
【０００３】
従来、顧客の所望とする色相の着色フィルムを製造するためには、色見本が必要であった。このため、着色フィルムメーカは、着色フィルムを製造するためには色の現物を入手しなければならないという煩わしさがあった。又、色相は印刷や塗装で現れるものと着色フィルムのように樹脂に練り込んだ形で現れるものとは、視覚として認識が微妙に異なるため、顧客から指定された色相に会わせて着色フィルムを製造しても、それが必ずしも顧客の要求する色相であるとならない、ということがあった。
【０００４】
【発明が解決しようとする課題】
本発明は、顧客が着色フィルムメーカに色見本を提供するのではなく、色相に関するデータを通信回線を介して提供し、着色フィルムメーカはこのデータに基づいて着色フィルムを製造し、供給することができる方法を提供する。
【０００５】
【課題を解決するための手段】
すなわち、本発明は、着色フィルムの供給者から顧客が着色フィルムを獲得する方法において、
顧客は所望の色の着色フィルムの色相に関する基本データ又はディスプレイ上で作成した色を通信回線を介して供給者に送信する段階（ａ）と、
供給者は受信した色相の基本データに基づいて着色フィルムの第一サンプルを顧客に供給する段階（ｂ）と、
顧客は第一サンプルを測色してその色相に関する第一サンプルデータを通信回線を介して供給者に送信する段階（ｃ）と、
供給者は第一サンプルデータと基本データとを比較した結果に基づいて着色フィルムの第二サンプルを顧客に提供する段階（ｄ）と、
必要ならば、上記段階（ｃ）と上記段階（ｄ）とを第Ｎ（ただし、Ｎは２以上の整数）サンプルデータと第（Ｎ＋１）サンプルについて実行する段階（ｅ）と、
顧客は第一サンプル又は第Ｎサンプルについて製品の発注を指示する段階（ｆ）と、
を備えたことを特徴とする着色フィルムの獲得方法に関する。
【０００６】
更に本発明は、着色フィルムの供給者が顧客に着色フィルムを供給する方法において、
顧客は所望の色の着色フィルムの色相に関する基本データ又はディスプレイ上で作成した色を通信回線を介して供給者に送信する段階（ａ）と、
供給者は受信した色相の基本データに基づいて着色フィルムの第一サンプルを顧客に供給する段階（ｂ）と、
顧客は第一サンプルを測色してその色相に関する第一サンプルデータを通信回線を介して供給者に送信する段階（ｃ）と、
供給者は第一サンプルデータと基本データとを比較した結果に基づいて着色フィルムの第二サンプルを顧客に提供する段階（ｄ）と、
必要ならば、上記段階（ｃ）と上記段階（ｄ）とを第Ｎ（ただし、Ｎは２以上の整数）データと第（Ｎ＋１）サンプルについて実行する段階（ｅ）と、
顧客は第一サンプル又は第Ｎサンプルについて製品の発注を指示する段階（ｆ）と、
を備えたことを特徴とする着色フィルムの供給方法に関する。
【０００７】
【発明の実施の形態】
本発明における段階（ａ）は、顧客がマーキングフィルムに使用する色を、反射率スペクトル，Ｌ＊ａ＊ｂ＊，ＸＹＺ，マンセル値等の基本データはディスプレイ上で作成した色を通信回線を介して着色フィルムメーカである供給者に供給する。
【０００８】
本発明における段階（ｂ）は、上記の測色データを基本データとし、これに基づいて、着色ベースから適宜色を組み合わせて着色フィルムの第一サンプルを製造し、顧客に供給する。
【０００９】
本発明における段階（ｃ）は、上記第一サンプルを上記と同様に測色し、その測色データを第一サンプルデータとして通信回線を介して供給者に提供する。
【００１０】
本発明における段階（ｄ）は、供給者が上記第一サンプルデータと上記基本データを比較し、顧客と供給者間の測色機差を補正するとともに、より基本データに近い測色データとなるように着色ベースの配合を変更し、第二サンプルを製造、提供する。
【００１１】
本発明における段階（ｅ）は、供給者による新たな着色サンプルの製造、提供と、顧客によるこの着色サンプルの測色データの測定、提供である。この過程を新たなサンプルについて顧客が満足するまで繰り返す。
【００１２】
本発明における段階（ｆ）は、顧客が満足したサンプルについて製品の発注を供給者に指示する。
【００１３】
【発明の効果】
本発明によれば、顧客が所望の色相の着色フィルムを獲得するに際し、顧客が色見本を供給者に提供することなく、色相に関するデータ又はディスプレイ上で作成した色を通信回線を介して提供することで着色フィルムサンプルが入手でき、製品を獲得できる。